(57)【特許請求の範囲】
【請求項１】
建物の軒先縁部に設けられる軒先縁部用化粧材であって、
化粧材本体は、中空部を有し、かつ、上部が軒の天板の先端部に当接して固定され、下部が天井支持部材に当接して固定され、
前記化粧材本体の前記中空部を挟んで内側部分は、前記中空部の内部側に突出した傾斜面を備えるとともに、前記内側部分の前記傾斜面の下方に位置する部分と、裏面側に設けられた立上壁との間に形成された樋部を備え、
前記樋部の下部には、前記樋部と前記中空部とを連通する排水孔が複数設けられ、
さらに、前記化粧材本体の下部には、前記中空部と外部とを連通する下部排水孔が複数設けられていることを特徴とする軒先縁部用化粧材。
【請求項２】
前記立上壁は、前記天井支持部材に係合するフランジが突出されていることを特徴とする請求項１に記載の軒先縁部用化粧材。
【請求項３】
前記化粧材本体の上部の前記軒の先端部への固定は、前記化粧材本体に当接された天板と、前記化粧材本体とをビスで貫通してなされていることを特徴とする請求項１又は請求項２に記載の軒先縁部用化粧材。
【請求項４】
請求項１乃至３のいずれか１項に記載の軒先縁部用化粧材を備えていることを特徴とする軒先構造。
【発明の詳細な説明】
【技術分野】
【０００１】
本発明は、建物の軒先縁部に設けられる軒先縁部用化粧材、及びこの軒先縁部用化粧材を備えた軒先構造に関するものである。
【背景技術】
【０００２】
従来から、建物の軒先の軒樋に枯葉等がつまって、雨水が溢れる状態になった際にも、軒の先端部の構造を工夫することで、軒内部に雨水が浸入して、腐食させたり、汚損させたりするのを防止することができる軒先構造については、多数提案され、実施に供されている（例えば特許文献１，２等を参照）。
【先行技術文献】
【特許文献】
【０００３】
【特許文献１】実開平０３−２０６３６号公報
【特許文献２】特開２０１１−２６７７８号公報
【発明の概要】
【発明が解決しようとする課題】
【０００４】
しかしながら、上記した特許文献１，２のような従来の軒先構造では、軒の前側先端縁部だけを考慮したものであり、軒の左右側先端縁部までは考慮されていない。
【０００５】
すなわち、通常、軒の左右側先端縁部と軒先縁部用化粧材との間は、シーリング材により水密性を保って防水されているが、シーリング材の防水効果が低下する所謂シーリング切れの状態になってしまうと、軒内部に雨水が浸入して、腐食させたり、汚損させたりしてしまうおそれがあった。
【０００６】
そこで、本発明は、軒先縁部と軒先縁部用化粧材との間が、所謂シーリング切れの状態になってしまっても、軒先内部に雨水が浸入して、腐食させたり、汚損させたりするのを防止することができる軒先縁部用化粧材、及びこの軒先縁部用化粧材を備えた軒先構造を提供することを目的としている。
【課題を解決するための手段】
【０００７】
前記目的を達成するために、本発明の軒先縁部用化粧材は、建物の軒先縁部に設けられる軒先縁部用化粧材であって、化粧材本体の裏面側に、樋部を有することを特徴とする。
【０００８】
ここで、前記樋部は、排水孔を有するとよい。
【０００９】
また、前記樋部の前記排水孔は、該樋部の下部に、前記化粧材本体の長手方向に間隔をあけて複数個設けられているとよい。
【００１０】
さらに、前記化粧材本体は、内部に中空部を有するとよい。
【００１１】
また、前記化粧材本体内部の前記中空部は、前記排水孔と連通しているとよい。
【００１２】
さらに、前記化粧材本体の下部には、前記中空部と連通する下部排水孔を有するとよい。
【００１３】
本発明の軒先構造は、上記した本発明の軒先縁部用化粧材を備えていることを特徴とする。
【発明の効果】
【００１４】
このような本発明の軒先縁部用化粧材は、建物の軒先縁部に設けられる軒先縁部用化粧材であって、化粧材本体の裏面側に、樋部を有する構成とされている。
【００１５】
上記した構成なので、化粧材本体の裏面側の樋部が雨水を受けるため、軒先縁部と軒先縁部用化粧材との間が、所謂シーリング切れの状態になってしまっても、軒の内部に雨水が浸入して、腐食させたり、汚損させたりするのを防止することができる。
【００１６】
ここで、樋部は、排水孔を有する場合は、樋部に溜まった雨水を、排水孔から外部へ排出することができる。
【００１７】
また、樋部の排水孔は、樋部の下部に、化粧材本体の長手方向に間隔をあけて複数個設けられている場合は、樋部内に多くの雨水が入ってきたときも対応することができる。
【００１８】
さらに、化粧材本体は、内部に中空部を有する場合は、軒先縁部用化粧材を少ない材料で軽量なものとして形成することができる。
【００１９】
また、化粧材本体内部の中空部は、排水孔と連通している場合は、樋部に溜まった雨水を、排水孔から化粧材本体内部の中空部へ排出することができる。
【００２０】
また、化粧材本体の下部には、中空部と連通する下部排水孔を有する場合は、下部排水孔から、中空部内に溜まった雨水を効率的に排出することができる。
【００２１】
このような本発明の軒先構造は、上記した本発明の軒先縁部用化粧材を備えた構成とされている。
【００２２】
上記した構成なので、上記した本発明の軒先縁部用化粧材の効果を奏する軒先構造とすることができる。
【図面の簡単な説明】
【００２３】
【図１】実施例の軒先構造を備えた建物の平面図である。
【図２】図１におけるＡ−Ａ線矢視拡大断面図であって、実施例の軒先縁部用化粧材を備えた軒先構造の概略構成を示す説明図である。
【発明を実施するための形態】
【００２４】
以下、本発明を実施するための形態を、図面に示す実施例に基づいて説明する。
【実施例】
【００２５】
先ず、実施例の構成について説明する。
図１は、実施例の軒先構造を備えた建物１の概略構成を示している。
この実施例の軒先構造は、例えば、玄関ポーチの庇の部分などに好適に実施される。
【００２６】
この実施例の軒先構造は、建物１の外壁部から突出して設けられた軒２の先端縁部に、実施例の軒先縁部用化粧材３を取り付けて成る。
【００２７】
また、この実施例の軒先構造は、図２に示したように、特に、この実施例の軒先縁部用化粧材３に特長を有する。
【００２８】
この実施例の軒先縁部用化粧材３の化粧材本体３０は、その裏面側に立上壁４ａが設けられ、内側に樋部４が形成されている。
【００２９】
また、化粧材本体３０内は、中空部３０ａを有している。
また、樋部４の下部には、化粧材本体３０の長手方向に間隔をあけて、複数個の排水孔４１，・・・が設けられ、中空部３０ａと連通している。
さらに、化粧材本体３０の下部には、中空部３０ａと連通する下部排水孔３１が、化粧材本体３０の長手方向に間隔をあけて複数個設けられている。
【００３０】
そして、この軒先縁部用化粧材３は、軒２の先端縁部に、上側をビス５，・・・で固定され、下側はリベット６，・・・で固定されて、取り付けられている。
【００３１】
ここで、軒２の上部を形成する天板２１の縁部は、シーリング材７により防水処理がなされている。
【００３２】
また、天板２１の下側には、スペーサー部材２２を介して、天板支持部材２３が設けられている。
【００３３】
さらに、天板支持部材２３の下側には、軒天井部材２４が設けられており、その端部は、化粧材本体３０の下部から内側方向へ突出したリップ部３０ｂで支持されている。
【００３４】
これにより、図２に示したように、図示省略の竪樋の樋落し口が枯葉などでつまり、経年劣化などでシーリング材７の防水効果が低下した所謂シーリング切れの状態になってしまっても、漏れた雨水Ｗは、軒先縁部用化粧材３の樋部４が受けるので、ドライゾーンであるべき軒２の内部が雨水で浸されることはない。
【００３５】
また、雨水Ｗが多く浸入してきたとしても、樋部４の下部の排水孔４１，・・・から化粧材本体３０の中空部３０ａ内に排出され、さらには、その下部の下部排水孔３１，・・・から外側へ排出されるので対応することができる。
【００３６】
なお、化粧材本体３０の下部排水孔３１，・・・からは、軒先縁部用化粧材３，３同士の繋ぎ目などから中空部３０ａ内へ浸入してきた雨水も外側へ排出することができる。
【００３７】
次に、実施例の作用効果について説明する。
このような実施例の軒先縁部用化粧材３は、建物１の軒先縁部に設けられる軒先縁部用化粧材であって、化粧材本体３０の裏面側に、樋部４を有する構成とされている。
【００３８】
上記した構成なので、化粧材本体３０の裏面側の樋部４が雨水を受けるため、軒先縁部と軒先縁部用化粧材３との間が、所謂シーリング切れの状態になってしまっても、軒２の内部に雨水が浸入して、腐食させたり、汚損させたりするのを防止することができる。
【００３９】
ここで、樋部４は、排水孔４１，・・・を有する。
このため、樋部４に溜まった雨水を、排水孔，・・・から外部へ排出することができる。
【００４０】
また、樋部４の排水孔４１は、樋部４の下部に、化粧材本体３０の長手方向に間隔をあけて複数個設けられている。
このため、樋部４内に多くの雨水が入ってきたときも対応することができる。
【００４１】
さらに、化粧材本体３０は、内部に中空部３０ａを有する。
このため、軒先縁部用化粧材３を少ない材料で軽量なものとして形成することができる。
【００４２】
また、化粧材本体３０内部の中空部３０ａは、排水孔４１と連通している。
このため、樋部４に溜まった雨水を、排水孔４１から化粧材本体３０内部の中空部３０ａへ排出することができる。
【００４３】
さらに、化粧材本体３０の下部には、中空部３０ａと連通する下部排水孔３１，・・・を有する。
このため、下部排水孔３１，・・・から、中空部３０ａ内に溜まった雨水を効率的に排出することができる。
【００４４】
このような実施例の軒先構造は、上記した実施例の軒先縁部用化粧材３を備えた構成とされている。
上記した構成なので、上記した実施例の軒先縁部用化粧材３の作用効果を奏する軒先構造とすることができる。
【００４５】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００４６】
例えば、上記した実施例では、前側の軒先構造も、裏面側に樋部４を有する軒先縁部用化粧材３を用いて実施したが、これに限定されず、この前側の軒先構造は、他のものを適用して実施してもよい。
【符号の説明】
【００４７】
１      建物
２      軒
２１    天板
２２    スペーサー部材
２３    天板支持部材
２４    軒天井部材
３      軒先縁部用化粧材
３０    化粧材本体
３０ａ  中空部
３０ｂ  リップ部
３１    下部排水孔
４      樋部
４ａ    立上壁
４１    排水孔
５      ビス
６      リベット
７      シーリング材
Ｗ      雨水
【図１】
0006622531.tif 000002
【図２】
0006622531.tif 000003